(57)【特許請求の範囲】
【請求項１】
画像信号を入力する入力手段と、
上記入力手段で入力された画像信号を用い、予め設定された画面サイズの画像データを生成するスケーリング処理手段と、
上記スケーリング処理手段で得た画像データにより光像を形成して投影する投影手段と、
上記入力手段で入力された画像信号の画面サイズを計測する計測手段と、
上記計測手段での計測結果に対応する画面サイズの複数の候補をグループ化して記憶する候補記憶手段と、
上記計測手段での計測結果により上記候補記憶手段を参照し、該当するグループを構成する複数の候補それぞれに基づいて、上記入力手段で入力された画像信号を用いた縮小サンプル画像を上記スケーリング処理手段により生成させ、上記投影手段により生成された複数の縮小サンプル画像を割り当ててマルチ画面として投影させるサンプル画像投影手段と、
上記サンプル画像投影手段で上記投影手段によりマルチ画面として投影した画像中から１つが選択されるのを受付ける選択受付手段と、
上記選択受付手段で受付けた選択結果の画像に対応する画面サイズの候補を上記スケーリング処理手段に設定して画像データを生成させる設定手段と
を具備したことを特徴とする投影装置。
【請求項２】
上記候補記憶手段は、画面サイズと周波数情報を含んで複数の候補をグループ化して記憶することを特徴とする請求項１記載の投影装置。
【請求項３】
上記サンプル画像投影手段は、１画面を縦ｎ×横ｎ（ｎ：２以上の自然数）に分割した画面に上記複数の候補の縮小サンプル画像を割り当てたマルチ画面を上記スケーリング処理手段により生成させ、上記投影手段により投影させることを特徴とする請求項１記載の投影装置。
【請求項４】
画像信号を入力する入力部、上記入力部で入力された画像信号を用い、予め設定された画面サイズの画像データを生成するスケーリング処理部、及び上記スケーリング処理部で得た画像データにより光像を形成して投影する投影部を備えた投影装置での投影方法であって、
上記入力部で入力された画像信号の画面サイズを計測する計測工程と、
上記計測工程での計測結果に対応する画面サイズの複数の候補をグループ化した候補情報を予めメモリに記憶させておき、上記計測工程での計測結果により上記候補情報を参照し、該当するグループを構成する複数の候補それぞれに基づいて、上記入力部で入力された画像信号を用いた縮小サンプル画像を上記スケーリング処理部により生成させ、上記投影部により生成された複数の縮小サンプル画像を割り当ててマルチ画面として投影させるサンプル画像投影工程と、
上記サンプル画像投影工程で上記投影部によりマルチ画面として投影した画像中から１つが選択されるのを受付ける選択受付工程と、
上記選択受付工程で受付けた選択結果の画像に対応する画面サイズの候補を上記スケーリング処理部に設定して画像データを生成させる設定工程と
を有したことを特徴とする投影方法。
【請求項５】
画像信号を入力する入力部、上記入力部で入力された画像信号を用い、予め設定された画面サイズの画像データを生成するスケーリング処理部、及び上記スケーリング処理部で得た画像データにより光像を形成して投影する投影部を備えた投影装置が内蔵するコンピュータが実行するプログラムであって、
上記コンピュータを、
上記入力部で入力された画像信号の画面サイズを計測する計測手段、
上記計測手段での計測結果に対応する画面サイズの複数の候補をグループ化して記憶する候補記憶手段、
上記計測手段での計測結果により上記候補記憶手段を参照し、該当するグループを構成する複数の候補それぞれに基づいて、上記入力部で入力する画像信号を用いた縮小サンプル画像を上記スケーリング処理部により生成させ、上記投影部により生成された複数の縮小サンプル画像を割り当ててマルチ画面として投影させるサンプル画像投影手段、
上記サンプル画像投影手段で上記投影部によりマルチ画面として投影した画像中から１つが選択されるのを受付ける選択受付手段、及び
上記選択受付手段で受付けた選択結果の画像に対応する画面サイズの候補を上記スケーリング処理部に設定して画像データを生成させる設定手段
として機能させるためのプログラム。
【発明の詳細な説明】
【技術分野】
【０００１】
本発明は、多種の画像信号を入力して投影する投影装置、投影方法及びプログラムに関する。
【背景技術】
【０００２】
一般にデータプロジェクタでは、入力されるアナログ画像信号の画面サイズを判別する手段として、映像の有効期間とブランキング期間とを含めて、水平同期信号の時間間隔と、垂直同期信号間の水平同期信号の数（ライン数）とを計測している。
【０００３】
図５は、ノンインタレース方式の画像１フレームに対する画面サイズの判別を説明する図である。図５（Ａ）で示す水平トータル時間及び垂直トータルライン数で示す全体の領域に比して、水平有効画素数及び垂直有効画素数で示す画像の表示（投影）に有効な領域が、周囲のブランキング期間に相当する領域分だけ小さくなる。
【０００４】
図５（Ｂ）に示すようにＳＸＧＡ＋（Ｓｕｐｅｒ  ｅＸｔｅｎｄｅｄ  Ｇｒａｐｈｉｃ  Ａｒｒａｙ  ｐｌｕｓ）サイズとも呼称される、有効画素数が横１，４００画素×縦１，０５０画素の画像を６０［Ｈｚ］の周波数で表示する場合、水平トータル時間が１５３１０［ｎ秒］（周波数で６５．３２［ｋＨｚ］）、垂直トータルライン数が１０８９［本］となる。
【０００５】
これに対し、図５（Ｃ）に示すようにＷＳＸＧＡ＋（Ｗｉｄｅ  Ｓｕｐｅｒ  ｅＸｔｅｎｄｅｄ  Ｇｒａｐｈｉｃ  Ａｒｒａｙ  ｐｌｕｓ）サイズとも呼称される、有効画素数が横１，６８０画素×縦１，０５０画素の画像を６０［Ｈｚ］の周波数で表示する場合、水平トータル時間が１５３１６［ｎ秒］（周波数で６５．２９［ｋＨｚ］）、垂直トータルライン数が１０８９［本］となる。
【０００６】
このように、水平トータル時間及び垂直トータルライン数がほぼ等しい解像度のアナログ画像信号のいずれかが入力される場合、データプロジェクタ側では画面サイズを誤まって判別する可能性がある。
【０００７】
近年は、画面アスペクト比のバリエーションが多く、画面サイズの組合せが数多く存在するため、上述したように水平トータル時間及び垂直トータルライン数で画面サイズを判別する際に、誤判別を招く可能性が高まっている。
【０００８】
そして画面サイズを誤って判別した場合にデータプロジェクタでは、例えば本来は真円が表現された画像を楕円として投影してしまう、ライン単位で位置がずれた画像を投影するなど、正しく画像を投影することができなくなる。
【０００９】
このような事態を回避するために従来は、プロジェクタのメニュー設定で予めユーザに優先させる画面サイズを選択してもらうようにしていた。  
しかしながら、例えば上記「ＳＸＧＡ＋」「ＷＳＸＧＡ＋」といった画面サイズを示す規格名、あるいは「１，４００画素×１，０５０画素」「１，６８０画素×１，０５０画素」といった画素数による画面サイズの表記は、パーソナルコンピュータ等の取扱いに不慣れなユーザには理解し難く、選択ミスを誘発する要因となる。
【００１０】
また特許文献においても、映像信号の同期信号の周波数を調べ、その周波数から映像信号の解像度を決定し、映像信号で表される映像を拡大・縮小することによって、映像信号の解像度を表示デバイスの解像度に一致するように変換し、表示デバイスに表示するようにした技術を見ることができる。（例えば、特許文献１）
【先行技術文献】
【特許文献】
【００１１】
【特許文献１】特開２００７−０５８２３４号公報
【発明の概要】
【発明が解決しようとする課題】
【００１２】
上述した特許文献では、例えば同特許文献の図４で水平解像度の周波数を「２４．８［ｋＨｚ］」「３７．５［ｋＨｚ］」「３１．５［ｋＨｚ］」‥‥というように「ｋＨｚ」オーダーの小数点１位のレベルで周波数を調べるものとしている。一方で、上記図５（Ｂ）と図５（Ｃ）で示した２つの画面解像度を「ｋＨｚ」オーダーの小数点１位のレベルで表現すると、共に「６５．３［ｋＨｚ］」となる。
【００１３】
このように上記特許文献に記載された技術では、非常に似通った周波数の画面サイズを判別することは想定しておらず、誤判別を確実に回避することは困難である。
【００１４】
なお、上記特許文献も含めて一般的には、「（画面）解像度」と呼称されることが多いが、解像度とは本来は単位長さ（通常はインチ）あたりのピクセル（画素）数のことであるので、本発明では「画面サイズ」と呼称するものとする。
【００１５】
また、説明を簡略化するために１ピクセル（画素）は縦横の比が１：１の正方数ピクセルであるものとし、縦のピクセル数と横のピクセル数の比がそのまま画面アスペクト比になるものとする。
【００１６】
本発明は上記のような実情に鑑みてなされたもので、その目的とするところは、アナログの画像信号の画面サイズを正確に設定することが可能な投影装置、投影方法及びプログラムを提供することにある。
【課題を解決するための手段】
【００１７】
請求項１記載の発明は、画像信号を入力する入力手段と、上記入力手段で入力された画像信号を用い、予め設定された画面サイズの画像データを生成するスケーリング処理手段と、上記スケーリング処理手段で得た画像データにより光像を形成して投影する投影手段と、上記入力手段で入力された画像信号の画面サイズを計測する計測手段と、上記計測手段での計測結果に対応する画面サイズの複数の候補をグループ化して記憶する候補記憶手段と、上記計測手段での計測結果により上記候補記憶手段を参照し、該当するグループを構成する複数の候補それぞれに基づいて、上記入力手段で入力された画像信号を用いた縮小サンプル画像を上記スケーリング処理手段により生成させ、上記投影手段により生成された複数の縮小サンプル画像を割り当ててマルチ画面として投影させるサンプル画像投影手段と、上記サンプル画像投影手段で上記投影手段によりマルチ画面として投影した画像中から１つが選択されるのを受付ける選択受付手段と、上記選択受付手段で受付けた選択結果の画像に対応する画面サイズの候補を上記スケーリング処理手段に設定して画像データを生成させる設定手段とを具備したことを特徴とする。
【００１８】
請求項２記載の発明は、上記請求項１記載の発明において、上記候補記憶手段は、画面サイズと周波数情報を含んで複数の候補をグループ化して記憶することを特徴とする。
【００１９】
請求項３記載の発明は、上記請求項１記載の発明において、上記サンプル画像投影手段は、１画面を縦ｎ×横ｎ（ｎ：２以上の自然数）に分割した画面に上記複数の候補の縮小サンプル画像を割り当てたマルチ画面を上記スケーリング処理手段により生成させ、上記投影手段により投影させることを特徴とする。
【００２０】
請求項４記載の発明は、画像信号を入力する入力部、上記入力部で入力された画像信号を用い、予め設定された画面サイズの画像データを生成するスケーリング処理部、及び上記スケーリング処理部で得た画像データにより光像を形成して投影する投影部を備えた投影装置での投影方法であって、上記入力部で入力された画像信号の画面サイズを計測する計測工程と、上記計測工程での計測結果に対応する画面サイズの複数の候補をグループ化した候補情報を予めメモリに記憶させておき、上記計測工程での計測結果により上記候補情報を参照し、該当するグループを構成する複数の候補それぞれに基づいて、上記入力部で入力された画像信号を用いた縮小サンプル画像を上記スケーリング処理部により生成させ、上記投影部により生成された複数の縮小サンプル画像を割り当ててマルチ画面として投影させるサンプル画像投影工程と、上記サンプル画像投影工程で上記投影部によりマルチ画面として投影した画像中から１つが選択されるのを受付ける選択受付工程と、上記選択受付工程で受付けた選択結果の画像に対応する画面サイズの候補を上記スケーリング処理部に設定して画像データを生成させる設定工程とを有したことを特徴とする。
【００２１】
請求項５記載の発明は、画像信号を入力する入力部、上記入力部で入力された画像信号を用い、予め設定された画面サイズの画像データを生成するスケーリング処理部、及び上記スケーリング処理部で得た画像データにより光像を形成して投影する投影部を備えた投影装置が内蔵するコンピュータが実行するプログラムであって、上記コンピュータを、上記入力部で入力された画像信号の画面サイズを計測する計測手段、上記計測手段での計測結果に対応する画面サイズの複数の候補をグループ化して記憶する候補記憶手段、上記計測手段での計測結果により上記候補記憶手段を参照し、該当するグループを構成する複数の候補それぞれに基づいて、上記入力部で入力された画像信号を用いた縮小サンプル画像を上記スケーリング処理部により生成させ、上記投影部により生成された複数の縮小サンプル画像を割り当ててマルチ画面として投影させるサンプル画像投影手段、上記サンプル画像投影手段で上記投影部によりマルチ画面として投影した画像中から１つが選択されるのを受付ける選択受付手段、及び上記選択受付手段で受付けた選択結果の画像に対応する画面サイズの候補を上記スケーリング処理部に設定して画像データを生成させる設定手段として機能させる。
【発明の効果】
【００２２】
本発明によれば、アナログの画像信号の画面サイズを正確に設定することが可能となる。
【図面の簡単な説明】
【００２３】
【図１】本発明の一実施の形態に係るデータプロジェクタ装置の機能回路の構成を示すブロック図。
【図２】同実施形態に係る画像信号入力当初の解像度設定の処理内容を示すフローチャート。
【図３】同実施形態に係るプログラムメモリに予め記憶される、水平トータル時間及び垂直トータルライン数が近似した複数候補の画面サイズのグループを示す図。
【図４】同実施形態に係る３つの画面サイズの候補により４分割画面を形成して投影した状態を示す図。
【図５】画像に対する解像度の判別手法を説明する図。
【発明を実施するための形態】
【００２４】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００２５】
図１は、本実施形態に係るデータプロジェクタ装置１０の機能回路の概略構成を示すブロック図である。  
このデータプロジェクタ装置１０は入力部として、Ａ／Ｄ変換部１１、ビデオデコーダ１２、及びＵＳＢ（Ｕｎｉｖｅｒｓａｌ  Ｓｅｒｉａｌ  Ｂｕｓ）インターフェイス（Ｉ／Ｆ）１３を備える。
【００２６】
Ａ／Ｄ変換部１１は、Ｄ−ｓｕｂ１５タイプのＲＧＢ入力端子を介してパーソナルコンピュータ等から入力されるアナログのＲＧＢ信号をデジタル化する。
【００２７】
ビデオデコーダ１２は、例えばピンジャック（ＲＣＡ）タイプのビデオ入力端子を介して入力されるアナログのコンポジットビデオ信号をＹ／Ｃ分離した後にデジタル化する。
【００２８】
ＵＳＢインターフェイス１３は、例えばＵＳＢ−Ｂ端子を介して図示しないＵＳＢケーブルで接続されるパーソナルコンピュータ等のＵＳＢホスト機器からアイソクロナス転送で入力される動画のストリーミングデータを入力する。
【００２９】
上記入力部１１〜１３のいずれかで入力された画像信号は、システムバスＳＢを介して投影画像処理部１４に送られる。
【００３０】
投影画像処理部１４は、入力される画像信号を投影に適した所定のフォーマットの画像信号に統一し、表示用のビデオメモリ１５に適宜書込んだ後に、書込んだ画像信号をビデオメモリ１５から読出して投影画像駆動部１６へ送る。
【００３１】
この際、ＯＳＤ（Ｏｎ  Ｓｃｒｅｅｎ  Ｄｉｓｐｌａｙ）用の各種動作状態を示すシンボル等のデータも必要に応じて投影画像処理部１４によりビデオメモリ１５で画像信号に重畳加工され、加工後の画像信号が読出されて投影画像駆動部１６へ送られる。
【００３２】
投影画像駆動部１６は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＬＭ）であるマイクロミラー素子１７を表示駆動する。
【００３３】
このマイクロミラー素子１７は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して表示動作することで、その反射光により光像を形成する。
【００３４】
一方で、光源部１８から時分割でＲ，Ｇ，Ｂの原色光が循環的に出射される。この光源部１８からの原色光が、ミラー１９で全反射して上記マイクロミラー素子１７に照射される。
【００３５】
そして、マイクロミラー素子１７での反射光で光像が形成され、形成された光像が投影レンズ部２０を介して、投影対象となる図示しないスクリーンに投影表示される。
【００３６】
光源部１８は、赤色（Ｒ）光を発する発光ダイオード（以下「Ｒ−ＬＥＤ」と称する）２１、緑色（Ｇ）光を発する発光ダイオード（以下「Ｇ−ＬＥＤ」と称する）２２、及び青色（Ｂ）光を発する発光ダイオード（以下「Ｂ−ＬＥＤ」と称する）２３を有する。
【００３７】
Ｒ−ＬＥＤ２１の発する赤色光は、ダイクロイックミラー２４を透過した後、インテグレータ２５で輝度分布が略均一な光束とされた後に上記ミラー１９へ送られる。
【００３８】
Ｇ−ＬＥＤ２２の発する緑色光は、ダイクロイックミラー２６で反射された後、上記ダイクロイックミラー２４でも反射され、上記インテグレータ２５を介して上記ミラー１９へ送られる。
【００３９】
Ｂ−ＬＥＤ２３の発する青色光は、ミラー２７で反射された後に上記ダイクロイックミラー２６を透過し、その後に上記ダイクロイックミラー２４で反射され、上記インテグレータ２５を介して上記ミラー１９へ送られる。  
上記ダイクロイックミラー２４は、赤色光を透過する一方で、緑色光及び青色光を反射する。上記ダイクロイックミラー２６は、緑色光を反射する一方で、青色光を透過する。
【００４０】
光源部１８の各ＬＥＤ２１〜２３の発光タイミングや駆動信号の波形等を投影光駆動部２８が統括して制御する。投影光駆動部２８は、投影画像駆動部１６から与えられる画像データのタイミングと後述するＣＰＵ２９の制御に応じて上記ＬＥＤ２１〜２３の発光動作を制御する。
【００４１】
上記各回路の動作すべてをＣＰＵ２９が制御する。このＣＰＵ２９は、メインメモリ３０及びプログラムメモリ３１と直接接続される。メインメモリ３０は、ＤＲＡＭで構成され、ＣＰＵ２９のワークメモリとして機能する。プログラムメモリ３１は、電気的書換可能な不揮発性メモリで構成され、ＣＰＵ２９が実行する動作プログラムや各種定型データ、後述する画面サイズ判別表データ等を記憶する。
【００４２】
ＣＰＵ２９は、上記プログラムメモリ３１に記憶されている動作プログラムデータ等を読出してメインメモリ３０に展開して記憶させた上で、当該プログラムを実行することにより、このデータプロジェクタ装置１０を統括して制御する。
【００４３】
上記ＣＰＵ２９は、操作／表示部３２からのキー操作信号に応じて各種投影動作を実行する。  
この操作／表示部３２は、データプロジェクタ装置１０の本体に設けられるキー操作部及びインジケータ部と、このデータプロジェクタ装置１０専用の図示しないリモートコントローラからの赤外光を受光するレーザ受光部とを含む。操作／表示部３２は、ユーザが本体のキー操作部またはリモートコントローラで操作したキーに基づくキー操作信号をＣＰＵ２９へ出力する。
【００４４】
本体のキー操作部またはリモートコントローラには、具体的には、電源キー、入力切換キー、フォーカス・アップ／ダウン・キー、ズーム・アップ／ダウン・キー、メニューキー、カーソル（「↑」「↓」「←」「→」）キー、セットキー、キャンセルキー等が備えられる。
【００４５】
上記ＣＰＵ２９はさらに、上記システムバスＳＢを介して音声処理部３３と接続される。音声処理部３３は、ＰＣＭ音源等の音源回路を備え、投影動作時に与えられる音声データをアナログ化し、スピーカ部３４を駆動して拡声放音させ、あるいは必要によりビープ音等を発生させる。
【００４６】
次に上記実施形態の動作について説明する。  
なお、上述した如く、マイクロミラー素子１７で表示する画像を投影画像処理部１４がビデオメモリ１５を用いて作成し、作成した画像を投影画像駆動部１６がマイクロミラー素子１７で表示し、マイクロミラー素子１７での表示に合わせてＬＥＤ２１〜２３を投影光駆動部２８が発光駆動する。
【００４７】
これら投影画像処理部１４、ビデオメモリ１５、投影画像駆動部１６、及び投影光駆動部２８は、いずれもＣＰＵ２９の制御の下に動作する。ＣＰＵ２９は、以下に示す処理も含め、プログラムメモリ３１に記憶されている動作プログラムや固定データ等を読出してメインメモリ３０に展開した上で制御処理を実行する。
【００４８】
図２は、Ａ／Ｄ変換部１１またはビデオデコーダ１２のいずれかに動画形式のアナログ値の画像信号が入力される当初の、画面サイズを設定するための処理内容を示すフローチャートである。
【００４９】
その処理当初にＣＰＵ２９は、Ａ／Ｄ変換部１１に入力されるＲＧＢ信号、あるいはビデオデコーダ１２に入力されるビデオ信号の画面サイズを判定する処理を実施する（ステップＳ１０１）。
【００５０】
これは、上記図５でも説明した通り水平同期信号間の時間を水平トータル時間として計測し、また垂直同期信号間の水平同期信号の数を垂直トータルライン数としてカウントすると共に、１秒間に得られる垂直同期信号の数を周波数としてカウントすることで実現される。
【００５１】
こうして得た水平トータル時間、垂直トータルライン数、及び周波数に基づき、プログラムメモリ３１に予め記憶される各種画面サイズ毎の水平トータル時間、垂直トータルライン数及び周波数と比較参照して、該当する候補が複数あるか否かを判断する（ステップＳ１０２）。
【００５２】
図３は、上述したようにプログラムメモリ３１に予め記憶される、水平トータル時間及び垂直トータルライン数が近似した複数候補のグループを示すものである。ここではグループ（ｇｒ．）「Ａ」〜グループ「Ｇ」の計７グループが、それぞれ水平トータル時間及び垂直トータルライン数が近似した数値であるものとして登録されている例を示す。
【００５３】
ＣＰＵ２９が上記図３に示した複数の候補に該当するか否かを判断した結果、複数の候補ではなく、単独の画面サイズの候補があると判断した場合にＣＰＵ２９は、その画面サイズ及び周波数にしたがって投影画像処理部１４で通常のスケーリング処理を実行するべく設定する（ステップＳ１０３）。
【００５４】
こうしてスケーリング処理の設定を終えると、入力される画像信号に基づいた投影動作を開始し（ステップＳ１０４）、以上でこの図２の画面サイズの設定に係る処理を終了して、通常の投影動作に移行する。
【００５５】
また、上記ステップＳ１０２で上記図３に示したグループのいずれかに該当し、候補が複数あると判断した場合には、該当するグループ内の各画面サイズに応じたサンプル画像を作成する。
【００５６】
すなわち、表示準備していない候補があることを確認した上で（ステップＳ１０５）、その画面サイズ及び周波数を読出し、その読出した内容に従って通常のスケーリングの１／４サイズのサンプル画像を作成し（ステップＳ１０６）、画面中の表示座標、例えば左上１／４に相当するような表示座標を設定する（ステップＳ１０７）。
【００５７】
その後、再び上記ステップＳ１０５に戻って、まだ表示準備していない候補があるか否かを判断し、あると判断したら上記と同様にステップＳ１０６に進んで、その他の画面サイズの候補に対してもサンプル画像の再生と画面中の座標位置の設定とを実行する。
【００５８】
そして、もう他に表示準備していない候補はないとステップＳ１０５で判断した時点で、それまでに上記ステップＳ１０６，Ｓ１０７の処理を繰返すことで作成した複数の画面サイズのサンプル画像による４分割画面を投影する（ステップＳ１０８）。
【００５９】
図４は、上記図３のグループ「Ａ」で示した３つの画面サイズの候補により４分割画面を形成して投影した状態を示す。当然ながら３つの候補に対して分割した画面の領域が４つあるので、「４」番目の右下１／４の領域ではサンプル画像を表示せず、黒画面となる。
【００６０】
このように、画面全体を縦横ともｎ（ｎ：２以上の自然数）等分した分割画面に各候補を割り当てて投影することで、画面アスペクト比が元の画像と同一のサンプル画像を投影できる。
【００６１】
すなわち、本実施形態ではマイクロミラー素子１７が横１２８０画素×縦８００画素の画面サイズとなっているのに対し、サンプル画像をそれぞれ横６４０画素×縦４００画素の画面サイズとすることで、縦横ともそれぞれ正確に画素数を１／２とした、本来投影する際の画面サイズと同一の画面アスペクト比をもったサンプル画像をマイクロミラー素子１７で表示できる。
【００６２】
上記図５で示した各グループでは、グループ中での最大の候補数がグループ「Ａ」の「３」であるため、分割比ｎ＝２として画面全体を４分割することにより、最大候補数のグループが該当した場合でも全候補を画面アスペクト比を同様としたままでサンプル画像を作成して投影させることができる。
【００６３】
したがって、例えば同一グループ内での画面サイズの候補数が「５」以上であった場合には、画面全体を縦横とも３等分して計９分割画面としてサンプル画像を作成する必要がある。
【００６４】
しかるに、上記図４に示した４分割画面を投影した状態で、例えば音声により  
「正しい画面をカーソルキーで選択してセットキーを操作して下さい」  
のようなガイドメッセージを音声処理部３３によりスピーカ部３４で出力させ、操作／表示部３２による選択操作をユーザに対して促す（ステップＳ１０９）。
【００６５】
このガイドメッセージに従って、投影している複数の候補のうちのいずれかがユーザにより選択されるのを待機する（ステップＳ１１０）。
【００６６】
この場合にユーザは、パーソナルコンピュータ等で取扱われる画像信号の画面サイズ等の知識を有しておらずとも、投影される画面から視覚的に歪みやズレ等を生じていない、最も見易い、自然な描写のサンプル画像を選択して、指示通りの操作を行なうことで、正しい選択を実行できる。
【００６７】
そして、ユーザにより操作／表示部３２でカーソルキー及びセットキーの操作による画面サイズの候補の選択がなされると、上記ステップＳ１１０でそれを判断し、選択された候補の画面サイズ及び周波数にしたがって投影画像処理部１４でスケーリング処理を実行するべく設定する（ステップＳ１０３）。
【００６８】
こうしてスケーリング処理の設定を終えると、入力される画像信号に基づいた投影動作を開始し（ステップＳ１０４）、以上でこの図２の画面サイズの設定に係る処理を終了して、通常の投影動作に移行する。
【００６９】
以上詳述した如く本実施形態によれば、画面サイズの判定の結果、近似した候補が複数ある場合に、投影する画面アスペクト比を保った状態で縮小した複数のサンプル画像を分割画面を投影してユーザに選択を促すことで正しい画面サイズの判定をユーザの選択に委ね、選択された画面サイズの候補に従ってあらためてスケーリング処理を行ない、投影動作を開始するようにしたので、アナログの画像信号の画面サイズを正確に設定することが可能となる。
【００７０】
また、上記実施の形態では、単に画面サイズのみならず、周波数も勘案して水平トータル時間と垂直ライン数とにより近似した複数の好捕をグループ化するものとしたので、より広い範囲の中から正確に画面サイズの候補を選択することができる。
【００７１】
上記実施の形態では、画面を縦横とも等分割して複数の候補の縮小サンプル画像を割り当てたマルチ画面を生成して投影させるものとしたので、設定後の画面アスペクト比と同一の画面アスペクト比の候補の中から１つを選択することができ、設定後に正しい画面アスペクト比の画像を確実に投影させることが可能となる。
【００７２】
なお、上記実施の形態はＤＬＰ（登録商標）方式のデータプロジェクタ装置に適用した場合について説明したが、本発明はプロジェクタの投影方式、光源素子、光像を形成するための表示素子、あるいは表示素子の単板式／多板式等を限定するものではなく、画像信号を一旦メモリに記憶した上でその記憶内容にしたがって画像を投影するような投影装置、あるいは投影装置に使用される投影方法、あるいは投影装置を動作させるためのプログラムであれば、いずれにも適用することが可能である。
【００７３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７４】
１０…データプロジェクタ装置、１１…Ａ／Ｄ変換部、１２…ビデオデコーダ、１３…ＵＳＢインターフェイス（Ｉ／Ｆ）、１４…投影画像処理部、１５…ビデオメモリ、１６…投影画像駆動部、１７…マイクロミラー素子、１８…光源部、１９…ミラー、２０…投影レンズ部、２１…Ｒ−ＬＥＤ、２２…Ｇ−ＬＥＤ、２３…Ｂ−ＬＥＤ、２４…ダイクロイックミラー、２５…インテグレータ、２６…ダイクロイックミラー、２７…ミラー、２８…投影光駆動部、２９…ＣＰＵ、３０…メインメモリ、３１…プログラムメモリ、３２…操作／表示部、３３…音声処理部、３４…スピーカ部、ＳＢ…システムバス。
【図１】
0005617310.tif 000002
【図２】
0005617310.tif 000003
【図３】
0005617310.tif 000004
【図４】
0005617310.tif 000005
【図５】
0005617310.tif 000006